(57)【要約】【課題】重量のある電子機器本体を、スタンドに対し角度調整自在に備え、しかも、角度固定状態に確実に保持する。【解決手段】重量物である機器本体１と、この機器本体１を支持するスタンド２と、このスタンド２に対し前記機器本体１を角度調整自在に結合する支軸３１とを備える電子機器である。機器本体１側とスタンド２側に、支軸３１を中心として放射状に形成され、噛み合い位置が変更自在な角度調整用の噛み合い刻み４１・５１を備える。従って、機器本体１側の噛み合い刻み５１とスタンド２側の噛み合い刻み４１の噛み合い位置を変更することにより、スタンド２に対する機器本体１の角度位置を変更できる。そして、機器本体１側の噛み合い刻み５１とスタンド２側の噛み合い刻み４１による円周方向に亘る噛み合い構造なので、重量のある機器本体１であっても角度固定状態に確実に保持できる。【選択図】図２
2005333064.tif 000002
【特許請求の範囲】
【請求項１】
重量物である機器本体と、
この機器本体を支持するスタンドと、
このスタンドに対し前記機器本体を角度調整自在に結合する支軸とを備える電子機器であって、
機器本体側とスタンド側に、前記支軸を中心として放射状に形成され、噛み合い位置が変更自在な角度調整用の噛み合い刻みを備えることを特徴とする電子機器。
【請求項２】
機器本体側の噛み合い刻みとスタンド側の噛み合い刻みの刻みピッチが異なることを特徴とする請求項１に記載の電子機器。
【請求項３】
機器本体側の噛み合い刻みとスタンド側の噛み合い刻みの少なくとも一方は機器本体またはスタンドと別体であることを特徴とする請求項１または２に記載の電子機器。
【請求項４】
機器本体側の噛み合い刻みとスタンド側の噛み合い刻みは材質が異なることを特徴とする請求項１から３のいずれか一項に記載の電子機器。
【請求項５】
機器本体側の噛み合い刻みとスタンド側の噛み合い刻みの一方は板金部材のプレス加工品であり、他方はエンジニアリングプラスチック品であることを特徴とする請求項３または４に記載の電子機器。
【請求項６】
機器本体側の噛み合い刻みとスタンド側の噛み合い刻みの少なくとも一方は交換可能部品であることを特徴とする請求項３から５のいずれか一項に記載の電子機器。
【請求項７】
前記板金部材には、機器本体の調整角度を制限するストッパーが打ち抜きプレス加工により形成されていることを特徴とする請求項５または６に記載の電子機器。
【発明の詳細な説明】
【技術分野】
【０００１】
本発明は、重量のある機器本体をスタンドに対し角度調整自在に備える電子機器に関する。
【背景技術】
【０００２】
機器本体と表示装置を備える電子機器において、機器本体と表示装置を連結する連結アームを設けて、表示装置を上下方向に角度調整自在とした技術が公知となっている（特許文献１参照）。その連結アームの連結部にはゴムブッシュが組み込まれており、そのゴムブッシュとの摩擦を利用した回転トルクを発生させることにより表示装置が任意の角度で保持される。
【特許文献１】特開平６−１６１６００号公報（段落００１８、図３）
【発明の開示】
【発明が解決しようとする課題】
【０００３】
しかし、特許文献１に開示の角度調整するために設けられた連結アームでは、ゴムブッシュの摩擦を利用した固定方式のため、重量のある機器を角度固定状態に保持できない。
【０００４】
本発明の課題は、重量のある電子機器本体を、スタンドに対し角度調整自在に備え、しかも、角度固定状態に確実に保持することである。
【課題を解決するための手段】
【０００５】
以上の課題を解決するため、請求項１に記載の発明は、例えば図１から図４に示すように、重量物である機器本体１と、この機器本体１を支持するスタンド２と、このスタンド２に対し前記機器本体１を角度調整自在に結合する支軸３１とを備える電子機器であって、機器本体１側とスタンド２側に、前記支軸３１を中心として放射状に形成され、噛み合い位置が変更自在な角度調整用の噛み合い刻み４１・５１を備えることを特徴とする。
【０００６】
請求項１に記載の発明によれば、機器本体側とスタンド側に、支軸を中心として放射状に形成され、噛み合い位置が変更自在な角度調整用の噛み合い刻みを備えたので、機器本体側の噛み合い刻みとスタンド側の噛み合い刻みの噛み合い位置を変更することにより、スタンドに対する機器本体の角度位置を変更できる。
そして、機器本体側の噛み合い刻みとスタンド側の噛み合い刻みによる円周方向に亘る噛み合い構造なので、重量のある機器本体であっても角度固定状態に確実に保持できる。
【０００７】
請求項２に記載の発明は、請求項１に記載の電子機器であって、例えば図４に示すように、機器本体１側の噛み合い刻み５１とスタンド２側の噛み合い刻み４１の刻みピッチが異なることを特徴とする。
【０００８】
請求項３に記載の発明は、請求項１または２に記載の電子機器であって、例えば図２及び図３に示すように、機器本体１側の噛み合い刻み５１とスタンド２側の噛み合い刻み４１の少なくとも一方は機器本体１またはスタンド２と別体であることを特徴とする。
【０００９】
請求項４に記載の発明は、請求項１から３のいずれか一項に記載の電子機器であって、例えば図２及び図３に示すように、機器本体１側の噛み合い刻み５１とスタンド２側の噛み合い刻み４１は材質が異なることを特徴とする。
【００１０】
請求項４に記載の発明によれば、機器本体側の噛み合い刻みとスタンド側の噛み合い刻みは材質が異なるので、使用の進行によって両方の噛み合い刻みが削れることはなく、柔らかい一方だけが削れるものとなり、その削れた一方のみを交換すれば良い。
【００１１】
請求項５に記載の発明は、請求項３または４に記載の電子機器であって、例えば図２及び図３に示すように、機器本体１側の噛み合い刻み５１とスタンド２側の噛み合い刻み４１の一方は板金部材５のプレス加工品であり、他方はエンジニアリングプラスチック品（例えばリング部材４）であることを特徴とする。
【００１２】
請求項５に記載の発明によれば、一方の噛み合い刻みは板金部材のプレス加工品なので、その板金部材のプレス加工品により機器本体またはスタンドを補強して強度を上げられる。
そして、他方の噛み合い刻みはエンジニアリングプラスチック品なので、板金部材のプレス加工品による噛み合い刻みに対して使用の進行によりエンジニアリングプラスチック品の噛み合い刻みだけが削れるものとなり、その削れたエンジニアリングプラスチック品の噛み合い刻みのみを交換すれば良い。
【００１３】
請求項６に記載の発明は、請求項３から５のいずれか一項に記載の電子機器であって、例えば図３及び図４に示すように、機器本体１側の噛み合い刻み５１とスタンド２側の噛み合い刻み４１の少なくとも一方は交換可能部品であることを特徴とする。
【００１４】
請求項６に記載の発明によれば、機器本体側の噛み合い刻みとスタンド側の噛み合い刻みの少なくとも一方は交換可能部品なので、使用の進行による削れ等により必要に応じて噛み合い刻みの少なくとも一方を交換できる。
【００１５】
請求項７に記載の発明は、請求項５または６に記載の電子機器であって、例えば図３及び図４に示すように、前記板金部材５には、機器本体１の調整角度を制限するストッパー５５が打ち抜きプレス加工により形成されていることを特徴とする。
【００１６】
請求項７に記載の発明によれば、板金部材には、機器本体の調整角度を制限するストッパーが打ち抜きプレス加工により形成されているので、スタンドに対する機器本体の調整角度を制限するストッパーを、放射状の噛み合い刻みを有する板金部材の打ち抜きプレス加工により簡単に形成できる。
【発明の効果】
【００１７】
本発明によれば、機器本体側及びスタンド側の放射状の噛み合い刻みによる噛み合い位置を変更することで、スタンドに対する機器本体の角度位置を変更でき、しかも、放射状の噛み合い刻みによる円周方向に亘る噛み合い構造なので、重量のある機器本体であっても角度固定状態に確実に保持できる。
【発明を実施するための最良の形態】
【００１８】
以下、図を参照して本発明を実施するための最良の形態を詳細に説明する。
本発明を適用した電子機器の一実施形態の構成を示す図１から図４において、１は本体ケース（機器本体）、２はスタンド、３はヒンジ部材、４はリング部材（放射状噛み合い刻み部材）、５は板金部材、６は皿ばねである。
実施形態において、電子機器は、例えばキャッシュレジスタであり、その機器本体である本体ケース１内に各種電子部品が組み込まれた重量物となっており、本体ケース１の正面部１１に表示画面兼タッチパネルが備えられている。
【００１９】
スタンド２は、重量物である本体ケース１を載せて角度調整自在に支持するもので、その上部左右に対し、本体ケース１が背面部側の結合片１２でヒンジ部材３により角度調整自在に組み付けられる。
ヒンジ部材３は、支軸をなす雄ねじ部３１を一体に備える回転操作部材であり、その雄ねじ部３１が、本体ケース１の結合片１２の組付孔１３から、スタンド２の上部左右にそれぞれ形成された雌ねじ部２１にねじ込まれる。
スタンド２の上部左右の外側面には、雌ねじ部２１を中心とする円環状凹部による放射状噛み合い刻み装着部２２が形成されている。この円環状凹部による放射状噛み合い刻み装着部２２には、９０度間隔で４個の位置決め孔２３が形成されている。
【００２０】
放射状噛み合い刻み部材であるリング部材４は、その一面に中心から放射状の噛み合い刻み４１を一体に形成するとともに、他面に９０度間隔で４個の位置決めボス４３を一体に形成したものである。このリング部材４は、エンジニアリングプラスチック品であり、例えばガラス入りナイロンによる硬質樹脂製である。
以上のリング部材４は、図３に示すように、スタンド２の上部外側面の円環状凹部による放射状噛み合い刻み装着部２２に、その９０度間隔で設けた４個の位置決め孔２３に位置決めボス４３を嵌め込んで装着する。
【００２１】
板金部材５は、リング部材４の放射状噛み合い刻み４１と噛み合う円環状の放射状噛み合い刻み５１を一面の左右に一体に形成したプレス加工品で、その放射状噛み合い刻み５１を有する部分を直角に折り曲げた結合片５２としている。この結合片５２には、円環状の放射状噛み合い刻み５１の中心に組付孔５３が形成されるとともに、円環状の放射状噛み合い刻み５１の外側近傍に突出する一対のストッパー５５が打ち抜きプレス加工により形成されている。このストッパー５５は、後述するように、スタンド２の上部外周縁２５に後方または前方からいずれか一方が突き当たることにより本体ケース１の調整角度を制限するものである。
【００２２】
ここで、板金部材５の放射状噛み合い刻み５１は、図４に示すように、リング部材４の放射状噛み合い刻み４１より刻みピッチが大きいものとなっている。すなわち、図示のように、リング部材４の放射状噛み合い刻み４１の刻みピッチが小さくて刻み目が細かいものであるのに対し、板金部材５の放射状噛み合い刻み５１の刻みピッチの方が大きくて刻み目が粗いものとなっている。
具体的には、リング部材４の放射状噛み合い刻み４１と板金部材５の放射状噛み合い刻み５１の刻み数の比が２：１となっており、リング部材４の放射状噛み合い刻み４１は刻みの山と谷が中心角５度で交互に均等に形成されているのに対し、板金部材５の放射状噛み合い刻み５１は刻みの山を１個おき間隔として中心角５度の山の間に同じく中心角５度の平面部が形成されたものとなっている。
以上の板金部材５は、図３に示すように、本体ケース１内から結合片１２の内側に沿ったスリット１５より結合片５２を外部に突出させて、結合片１２の内側面に結合片５２を重ねた状態にする。
【００２３】
次に、本体ケース１のスタンド２への組付方を説明する。
先ず、本体ケース１の板金部材結合片５２を内側面に重ねた結合片１２の組付孔１３周囲の外側面に皿ばね６を当てて、図２及び図３に示すように、ヒンジ部材３の雄ねじ部３１を、結合片１２・５２の組付孔１３・５３からスタンド２のリング部材４が装着された放射状噛み合い刻み装着部２２の中心に位置する雌ねじ部２１に挿入する。そして、ヒンジ部材３を回転させて雄ねじ部３１を雌ねじ部２１にねじ込んで固定する。
これにより、本体ケース１の結合片１２とスタンド２の放射状噛み合い刻み装着部２２との間において、板金部材５の結合片５２とリング部材４が締め付けられた状態となって互いの放射状噛み合い刻み５１・４１が噛み合い状態に保持される。
【００２４】
このように、本体ケース１側とスタンド２側に雄ねじ部３１を中心にして噛み合う円環状の放射状噛み合い刻み４１・５１を設けた構成のため、その互いに圧接した状態で噛み合う放射状噛み合い刻み４１・５１の噛み合い位置を変更することにより、スタンド２に対する本体ケース１の所謂チルト角度位置を変更できるものとなっている。
しかも、本体ケース１側とスタンド２側の円環状の放射状噛み合い刻み４１・５１による円周方向に亘る噛み合い構造のため、実施形態のキャッシュレジスタのように、内部に各種電子部品を組み込んだ重量物である本体ケース１であっても、スタンド２に対し角度固定状態に確実に保持できるものとなっている。
従って、本体ケース正面部１１の表示画面に対するタッチパネル操作を行った場合でも、スタンド２に対する本体ケース１の回転方向トルクを受け止め、本体ケース１の不用意なチルト回転を防止できる。
【００２５】
さらに、本体ケース１側の放射状噛み合い刻み５１を板金部材５のプレス加工品としたため、この板金部材５のプレス加工品により本体ケース１の背面部を補強できるとともに、互いに重ね合わせた板金部材結合片５２により本体ケース結合片１２を補強して強度を上げられるものとなっている。
しかも、本体ケース１側に発生する静電気を板金部材５に導通して空気中放電したり、あるいはスタンド２からアースできるといった利点も得られる。
【００２６】
また、スタンド２側の放射状噛み合い刻み４１はエンジニアリングプラスチック品（例えばガラス入りナイロンによる硬質樹脂製）によるリング部材４に設けたため、板金部材５のプレス加工品による放射状噛み合い刻み５１に対して使用の進行によりリング部材４の放射状噛み合い刻み４１だけが削れるものとなる。
従って、その削れた放射状噛み合い刻み４１を有するリング部材４のみを交換すれば良い。
【００２７】
そして、板金部材５には、スタンド２に対する本体ケース１の調整角度を制限するストッパー５５が打ち抜きプレス加工により形成されているため、このストッパー５５の一方がスタンド２の上部外周縁２５に後方または前方から突き当たることにより、本体ケース正面部１１に設けた表示画面兼タッチパネルの上方向と前方向のチルト調整角度を制限できるものとなっている。
このように、スタンド２に対する本体ケース１のチルト調整角度を制限するストッパー５５を、放射状噛み合い刻み５１を有する板金部材５の打ち抜きプレス加工により簡単に形成できる。
【００２８】
また、本体ケース結合片１２とヒンジ部材３との間に皿ばね６が介装されているため、雌ねじ部２１に対し雄ねじ部３１を緩めた場合でも皿ばね６によりある程度の保持力を持たせて、スタンド２に対する本体ケース１のチルト操作性を確保できるものとなっている。
【００２９】
なお、以上の実施形態においては、電子機器としてキャッシュレジスタとしたが、本発明はこれに限定されるものではなく、パソコン、テレビ、ゲーム機や、カーナビ、モニタ、タクシーメータ、タクシー料金処理端末、カーオーディオ等の他の電子機器であっても良い。
また、実施形態では、スタンド側の放射状噛み合い刻みを別体の交換可能部品としたが、スタンド側に放射状噛み合い刻みを一体に形成しても良い。
さらに、実施形態では、機器本体側の放射状噛み合い刻みを板金部材のプレス加工品としたが、板金部材のプレス加工品による放射状噛み合い機材をスタンド側に設けても良い。
【００３０】
そして、実施形態では、スタンド側の放射状噛み合い刻みの刻み目を細かくして、機器本体側の放射状噛み合い刻みの刻み目を粗くしたが、逆に、スタンド側の放射状噛み合い刻みの刻み目を粗くして、機器本体側の放射状噛み合い刻みの刻み目を細かくしても良い。
また、実施形態では、２組の放射状噛み合い刻みの噛み合いによる角度調整構造としたが、放射状噛み合い刻みの噛み合いは１組のみの片持ち方式、または３組以上であっても良い。
さらに、実施形態では、円環状の放射状噛み合い刻みとしたが、円盤状の放射状噛み合い刻みであっても良い。
また、スタンドは壁に固定する壁掛け金具であっても良く、その他、具体的な細部構造等についても適宜に変更可能であることは勿論である。
【図面の簡単な説明】
【００３１】
【図１】本発明を適用した電子機器の一実施形態の構成を示す概略側面図である。
【図２】図１の要部縦断面図である。
【図３】図２の分解図である。
【図４】図３の放射状噛み合い刻み部材の装着部を示した正面図（ａ）、同じく放射状噛み合い刻み部材の正面図（ｂ）、図３の板金部材の放射状噛み合い刻み部分を示した正面図（ｃ）である。
【符号の説明】
【００３２】
１  本体ケース（機器本体）
１１  正面部
１２  結合片
１３  組付孔
１５  スリット
２  スタンド
２１  雌ねじ部
２２  放射状噛み合い刻み装着部
２３  位置決め孔
２５  上部外周縁
３  ヒンジ部材
３１  雄ねじ部（支軸）
４  リング部材（放射状噛み合い刻み部材）
４１  放射状噛み合い刻み
４３  位置決めボス
５  板金部材
５１  放射状噛み合い刻み
５２  結合片
５３  組付孔
５５  ストッパー
６  皿ばね
【図１】
2005333064.tif 000003
【図２】
2005333064.tif 000004
【図３】
2005333064.tif 000005
【図４】
2005333064.tif 000006